(57)【特許請求の範囲】
【請求項１】
ロール状に巻かれた台紙レスラベルを送り出しながらラベルに印字する印字部と、該印
字部の下流側に配置されて、印字発行されたラベルを所定長さで切断するカッターと、切
断されたラベルを表裏から保持するとともに、切断された前記ラベルの後端部と、後から
送り出される後続ラベルの先端部とを重ね合わせる仮着部と、前後に連なった状態で発行
されるラベルが所定枚数または所定長さに達する前に前記ラベルの発行を停止させる制御
部とを備えたことを特徴とするラベルプリンタ。
【請求項２】
印字発行されたラベルの有無をラベル発行口において検出するセンサを備え、前記制御
部は、前記ラベルが前記ラベル発行口において所定枚数或いは所定長さに達した後も、ラ
ベル発行口に存在すると前記センサが検出する場合は、次のラベル発行を停止させること
を特徴とする請求項１に記載のラベルプリンタ。
【請求項３】
前記制御部は、ラベル発行口の前記ラベルが所定枚数或いは所定長さに達する前に取り
除かれ、それが前記センサによって検出された場合は、次のラベルを続けて発行させるこ
とを特徴とする請求項２に記載のラベルプリンタ。
【請求項４】
前記制御部は、ラベルを発行する都度、ラベル発行口のラベル枚数或いはそのラベル長
さを求めることを特徴とする請求項２又は３に記載のラベルプリンタ。
【請求項５】
前記制御部は、前記センサの検出信号から、発行されたラベルがラベル発行口から取り
除かれたと判断すると、ラベル発行口のラベル枚数或いはそのラベル長さをクリアするこ
とを特徴とする請求項４に記載のラベルプリンタ。
【請求項６】
前記制御部は、次に発行するラベルの印字内容が直前に発行したラベルの印字内容と異
なるときは、ラベル発行口のラベルが取り除かれるまで、次のラベル発行を停止すること
を特徴とする請求項１から５のいずれかに記載のラベルプリンタ。
【発明の詳細な説明】
【技術分野】
【０００１】
本発明は、複数商品の印字内容と発行枚数を予約して、予約された各商品の印字ラベル
を予約枚数ずつ連続発行させるラベルプリンタに関する。
【背景技術】
【０００２】
スーパーマーケット等において、惣菜や弁当等に一定金額の定額ラベルを貼り付けると
きは、ラベルプリンタで一度に複数枚の定額ラベルを連続発行させ、それを盛り付け台に
並べられた弁当等に一枚ずつ貼り付けている。
【０００３】
こうした定額ラベルを発行するラベルプリンタとしては、下記特許文献１に記載のもの
が知られている。このラベルプリンタは、台紙付きラベルを使用するもので、複数の商品
について、印字内容と発行枚数を予約しておき、貼り付け作業に際しては、予約された各
商品の定額ラベルを設定枚数ずつ連続発行させている。
【０００４】
しかし、最近使われるようになった、ラベルの粘着面に台紙（剥離紙）が貼付されてい
ない、所謂、台紙レスラベルでは、ラベルを印字する度に、それをラベルロールから切断
して発行していくので、これまでの台紙付きラベルのように、シート状に連なった状態で
ラベル発行させることはできない。そこで、本出願人は、特願２０１４−２１８７８６号
において、複数枚の台紙レスラベルをシート状に連ねた状態で連続発行する新たなラベル
プリンタを出願した。
【０００５】
このラベルプリンタによれば、ラベルが発行される都度、先行ラベルの後端部に後続ラ
ベルの先端部を次々と貼り付けていくので、一枚ずつ発行された台紙レスラベルでありな
がら、シート状に連なったラベルを連続発行させることができる。
【先行技術文献】
【特許文献】
【０００６】
【特許文献１】特公平２−１７４２号公報
【発明の概要】
【発明が解決しようとする課題】
【０００７】
ところで、盛り付け台に並べられた弁当等の商品に定額ラベルを順次貼り付けていく作
業では、商品の種類とそれに貼付するラベルとの不一致は避けねばならないので、複数商
品のラベル発行予約をするときは、作業順序と、予約ラベルの発行順序とを一致させてお
く必要がある。ここで、作業順序とは、例えば、最初に幕の内弁当を１０個作り、続いて
日替わり弁当を２０個作るという順序である。この順序が入れ替わったり、他の商品が割
り込んだりすると、既に発行された定額ラベルを一時退避させておく必要がある。
【０００８】
従来の台紙付きラベルでは、発行されたラベルをそのまま放置しても、ラベルは台紙に
貼り付いたままであるから、問題にはならなかった。しかし、台紙レスラベルでは、複数
枚連ねた状態で発行されたラベルをラベルプリンタから取り去ると、粘着面が剥き出しの
ままになっているから、発行されたラベルシートの取り扱いを誤ると、ラベル同士がくっ
付いたり、ラベルがラベル発行装置や、その周囲の物や壁や床に貼り付いたりして、ラベ
ルが使用できなくなる問題がある。
【課題を解決するための手段】
【０００９】
本発明に係わるラベルプリンタは、印字発行されたラベルをラベル発行口において検出
する剥離センサを備え、前記印字ラベルが所定枚数或いは所定長さ発行された後も、前記
印字ラベルがラベル発行口に在る場合は、次のラベル発行を停止する安全手段（後述の制
御部）を備えたことを特徴とする。
【００１０】
前記ラベルプリンタに台紙レスラベルを使用する場合は、複数枚の台紙レスラベルが連な
った状態で発行されるから、発行されたラベルが長くなり過ぎると、周囲、すなわちラベ
ルプリンタの外面や、ラベルプリンタの近傍に置かれた物や、壁や床などに貼り付く虞が
ある。そこで、このラベルプリンタを使用する場合は、印字ラベルが所定枚数或いは所定
長さ発行された後も、それがラベル発行口にある場合は、次のラベル発行を一時的に停止
する。すなわち、連なった状態で発行されるラベルが周囲に貼り付く長さに達する前に次
のラベル発行を停止するのである。ここで、ラベルが周囲に貼りつく長さは、ラベルを送
り出す方向や、ラベル１枚分の長さ、ラベルの腰の強さ、さらにはラベルプリンタの周囲
状況によって左右されるから、使用するラベルの種類や印字データ量に応じて、ラベルを
何枚連ねて発行すると、或いはどの位の長さまで連ねると、周囲に貼り付くかを事前に把
握しておく。そして、周囲に貼り付かないぎりぎりのラベル枚数やラベル長さを、所定枚
数或いは所定長さとして商品別に登録しておく。商品別に登録するのは、商品によって印
字データ量が異なり、それによってラベルの送り長さが異なるからである。そして、発行
されたラベルが所定枚数に達した後も或いは所定長さに達した後も、それらが前記センサ
によって検出される場合は、前記安全手段（制御部）は、次のラベル発行を停止するので
ある。これにより、長く連なった状態で発行されたラベルが周囲に貼り付いたりする問題
を未然に防止することができる。
【００１１】
前記制御部は、ラベル発行口のラベルが所定枚数に達する前に、或いは所定長さに達する
前に取り除かれ、それが前記センサによって検出されると、次のラベルを続けて発行させ
ることを特徴とする。
この制御部は、ラベルを発行する度に、ラベル発行口のラベル枚数やラベル長さを算出し
ていく。一方、ラベル発行口のラベルが取り除かれ、それを前記センサが検出すると、前
記制御部は、算出したラベル発行口のラベル枚数やラベル長さをクリアして次のラベル発
行に備える。
【００１２】
また、ラベル発行口のラベルが所定枚数或いは所定長さに達して、次のラベル発行が停止
された場合でも、それらがラベル発行口から取り除かれ、それを前記センサが検出すると、
前記制御部は、停止していたラベル発行を自動的に再開する。こうした動作は、登録され
た予約枚数分のラベル発行が終了するまで続く。したがって、作業者は、予約ラベルの発
行操作を開始させた後は、ラベルプリンタを操作しなくても、連なった状態で発行される
ラベルをラベル発行口から取り除いては、それを商品に貼り付けていくだけとなるから、
作業性が極めてよくなる。この場合において、ラベル発行の一時停止を音や光で知らせる
警告手段を設けておけば、発行されたラベルの除去を促すことができる。
【００１３】
また、前記制御部は、次に発行するラベルの印字内容が直前に発行したラベルの印字内
容と異なるときは、ラベル発行口のラベルが取り除かれるまで、次のラベル発行を停止す
ることを特徴とする。これにより、ラベル発行口において、印字内容の異なるラベルの混
在を無くすことができるから、異なる商品へ異なるラベルが貼り付けられるミスを防止す
ることができる。なお、この場合にも警告手段で音や光を発するのが好ましいが、この場
合の音や光は、前述の音や光とは異なる音色や波長としておくのが好ましい。
【発明の効果】
【００１４】
本発明に係るラベルプリンタによれば、印字ラベルが所定枚数発行された後も印字ラベ
ルがラベル発行口にある場合は、次のラベル発行を一時的に停止させることができるから、
複数枚のラベルが長く連なった状態でラベル発行口に放置されていても、それが周囲に貼
り付いたりする問題を防止することができる。また、そうしたラベルがラベル発行口から
除去され、それをセンサが検出すると、ラベル発行が自動的に再開されるから、作業者は、
ラベルプリンタを操作しなくても、次々と発行されるラベルを取っては、それを商品に貼
り付けて行くことができる。
【００１５】
また、本発明に係るラベルプリンタによれば、次に発行するラベルの印字内容が直前に
発行したラベルの印字内容と異なるときは、ラベル発行口のラベルが取り除かれるまで次
のラベル発行を停止するので、ラベル発行口において、印字内容の異なるラベルの混在を
無くし、異なる商品へ異なるラベルが貼り付けられるミスを防止することができる。
【図面の簡単な説明】
【００１６】
【図１】本発明のラベルプリンタを搭載した電子秤の一実施形態の外観斜視図。
【図２】上記電子秤からラベルカセットを引き出した状態の斜視図。
【図３】上記ラベルプリンタの印字部分の要部断面図。
【図４】上記ラベルプリンタ付き電子秤の概略構成のブロック図。
【図５】上記ラベルプリンタの機能ブロック図。
【図６】商品マスタに登録されている商品情報の一例。
【図７】単語マスタに登録されている情報の一例
【図８】単語リンクマスタに登録されている情報の一例。
【図９】定額ラベルを発行させる操作画面の一例。
【図１０】定額ラベルの発行が次の商品に切り替わった状態の操作画面の一例。
【図１１】予約一覧が表示された操作画面の一例。
【発明を実施するための形態】
【００１７】
まず、図１〜図４を参照しながら、本発明のラベルプリンタが搭載された電子秤の一実
施形態を説明する。なお、以下の実施形態は、本発明の技術的範囲を限定するものではな
い。
【００１８】
図１〜図４において、プリンタ付き電子秤１００は、本体ケースＢと、その中に組み込
まれたラベルプリンタＰと、本体ケースＢの上面に設置された計量部Ｗと、本体ケースＢ
に組み込まれ、前記ラベルプリンタＰと計量部Ｗとを制御する制御部Ｃ（図４参照）と、
同じく本体ケースＢ内に組み込まれ、ラベルプリンタＰや制御部Ｃに給電する図示しない
電源ユニットを備える。また、店員が操作する本体ケースＢの正面側には、タッチパネル
式の店員側表示部Ｄ１と固定キーＤ２とが設けられ、背面側には客側表示部Ｄ３が設けら
れている。
【００１９】
ラベルプリンタＰは、向かって右側の本体ケースＢ内に収納され、その正面側には、開
閉扉Ｇが設けられ、さらにその前方に設けられた店員側表示部Ｄ１のケースを跳ね上げれ
ば、図２に示すように、開閉扉Ｇを下方へ開くことができる。その開閉扉Ｇを開けば、中
からカセットＣＡが取り出せるようになっている。このカセットＣＡの前部には、取手が
取り付けられ、これを手前に引けば、カセットＣＡを本体ケースＢから引き出すことがで
きる。
【００２０】
ラベルプリンタＰは、ラベルロールＬＲを収納するカセットＣＡと、カセットＣＡの先
端上部に設けられたプラテンローラ１２と、開閉扉Ｇの裏面に設けられた印字ヘッド１１
と、本体ケースＢの前端上部に設けられたカッターユニット２０と、その近傍に設けられ
た仮着部３０とを備えている。また、カセットＣＡの向かって左側の側壁ＣＡ１には、図
２に示すように、ロール支持部Ｒが片持ち状態で支持され、そこにラベルロールＬＲが装
着される。ラベルロールＬＲは、帯状の台紙レスラベルＬを紙管に巻きつけたもので、そ
こから引き出された台紙レスラベルＬは、ガイドローラＧＲの下を潜って、先端上部のプ
ラテンローラ１２に引き渡される。このガイドローラGRは、カセットＣＡの側壁ＣＡ１に
片持ち状態で取り付けられている。
【００２１】
台紙レスラベルＬは、基材である紙の裏面に接着剤を積層し、表面に熱で発色する感熱
剤を積層し、その上から剥離剤としてのシリコン樹脂を塗布したものである。ラベルロー
ルＬＲは、この台紙レスラベルＬの裏面を内側にして紙管に巻き付けたものであるから、
裏面がプラテンローラ１２と接触するように装着される。
【００２２】
なお、カセットＣＡの後部には、装着されたラベルロールＬＲが台紙付きラベルか、台
紙レスラベルかを識別する識別コードが付与され、そのカセットＣＡを本体ケースＢ内に
収納すると、その識別コードが読み取られて、装着されたラベルロールＬＲの種類が制御
部Ｃに通知されるようになっている。
【００２３】
開閉扉Ｇの裏面に設けられた印字ヘッド１１は、サーマル式の印字ヘッドで構成され、
その発熱ラインは、開閉扉Ｇを閉じると、収納されたカセットＣＡのプラテンローラ１２
と接するように位置決めされている。
【００２４】
図３は、印字ヘッド１１とプラテンローラ１２とを有する印字部１０の要部断面図を示
す。この図において、開閉扉Ｇの裏面には、支持フレーム１３が図示しないヒンジを介し
て開閉扉Ｇに近接離反するように取り付けられ、その支持フレーム１３の内側には、印字
ヘッド１１が固定されている。また、支持フレーム１３と開閉扉Ｇとの間には、開閉扉Ｇ
を閉じたときに、印字ヘッド１１をプラテンローラ１２に押し付けるスプリング１４が設
けられている。
【００２５】
カセットＣＡの先端上部には、プラテンローラ１２が取り付けられ、その上部には、印
字されたラベルＬの移動経路を規制する第１ガイド板１５が取り付けられている。また、
図２のカセットＣＡの側壁ＣＡ１内には、プラテンローラ１２を駆動するギア機構が組み
込まれ、カセットＣＡを本体ケースＢに装着すると、そのギア機構が本体ケースB内の駆動
モータと連結されてプラテンローラ１２が回転するようになっている。
【００２６】
一方、開閉扉Ｇ側の支持フレーム１３の先端部には、印字されたラベルＬの移動経路を
規制する第２ガイド板１６が取り付けられ、開閉扉Ｇを閉じると、第１ガイド板１５と第
２ガイド板１６が、「ハ」の字に向き合って、その先端ギャップから印字されたラベルＬ
が送り出されるようになっている。
【００２７】
このガイド板１５、１６とプラテンローラ１２の上部には、固定刃２１と可動刃２２を
備えたカッターユニット２０が本体ケースＢ上に取り付けられている。このカッターユニ
ット２０は、可動刃２２がカッターユニット２０内部のクランク機構に連結されて、高速
で固定刃２１との間を水平方向に往復運動するようになっている。  
【００２８】
この固定刃２１と可動刃２２との間のスペースは、一対のガイド板１５、１６のギャッ
プと上下に向き合うように配置されている。また、その上方には、仮着部３０が配置され
ている。
【００２９】
仮着部３０は、フリーローラ３２と、その表面にラベルＬを軽く押し付ける押さえ部材
３１とで構成される。フリーローラ３２は、ラベルＬの粘着面との接触面積を減らすため
に、表面が凹凸状の回転自在なローラで構成されている。押さえ部材３１は、印字発行さ
れたラベルＬをフリーローラ３２に軽く押さえるもので、薄い樹脂製プレートで構成され
ている。また、仮着部３０と固定刃２１との間隔は、発行されたラベルＬの先端部を十分
保持することのできる距離に設定されている。この実施形態では、フリーローラ３２と押
さえ部材３１を、カッターユニット２０を被うカバーケース２３に固定しているが、この
仮着部３０をユニット化して、固定刃２１に対して近接離反できるようにしても良い。
【００３０】
計量部Ｗは、機械的歪みを電気信号に変換する周知構成のロードセルと、ロードセル出
力を増幅してデジタル信号に変換する信号処理回路と、デジタル信号を本体ケースＢ内の
制御部Ｃに無線で送信する通信モジュールと、これらに給電するバッテリーユニットを備
える。また、本体ケースＢ内には、計量部Ｗから送信されたデジタル信号を受信する通信
モジュールと、受信した信号を質量に変換し、それと設定された単位質量当りの単価とを
掛けて価格を算出し、それを店員側表示部Ｄ１と客側表示部Ｄ３に表示する制御部Ｃと、
ラベルプリンタＰ、ならびに、これらに給電する電源ユニットが収納されている。なお、
この実施形態では、計量部Ｗから制御部Ｃに無線で重量信号を送信するように構成してい
るが、これに代えて有線で送信することもできる。
【００３１】
店員側表示部Ｄ１は、タッチパネル式の液晶ディスプレイで構成され、制御部Ｃの制御
により、必要な操作画面が表示される。また、固定キーＤ２には、ハカリ用としての単価
キー、定額キー、風袋キー、呼出キーＤ２１と、ラベルの発行を指示する印字キーＤ２２
とがあり、これらが数字キーと共に配置されている。また、客側表示部Ｄ３（図４参照）
は、液晶ディスプレイで構成され、重量、価格の他に商品に関する広告メッセージが表示
されるようになっている。
【００３２】
図４は、プリンタ付き電子秤１００の構成ブロック図を示し、図５は、ラベルプリンタ
Ｐが実行する機能ブロック図を示す。
図４において、制御部Ｃは、ＣＰＵ４０、ＲＯＭ４１、ＲＡＭ４２及びＨＤＤ（ハード
ディスク）４３を備え、計量部Ｗ、店員側表示部Ｄ１、固定キーＤ２、客側表示部Ｄ３、
ラベルプリンタＰと電気的に接続されている。
【００３３】
ＲＯＭ４１には、電子秤とラベルプリンタＰの制御プログラムが記憶され、これをＣＰ
Ｕ４０が読み出して実行することにより、秤としての機能の他に後述するラベルプリンタ
Ｐとしての種々の機能が実現されるようになっている。ＲＡＭ４２には、例えば、ラベル
発行の予約登録データや、ラベル発行されたログ・ファイルや、ラベルプリンタＰに出力
する印字情報等が記憶されている。また、ＨＤＤ４３には、図６に示す商品マスタ４３１
と、図７、図８に示す単語検索マスタ４３２とが記憶されている。なお、単語検索マスタ
４３２を使った商品呼出操作については後述する。
【００３４】
ハカリとして使用するときは、店員側表示部Ｄ１に表示される、商品指定手段５（図５
参照）を操作する。あるいは、その商品番号を図１の数字キーで入力し、続いて呼出キー
Ｄ２１を操作する。そして、当該商品を計量部Ｗに載置すれば、当該商品の重量、価格、
商品名が店員側表示部Ｄ１と客側表示部Ｄ３に表示される。
【００３５】
続いて印字キーＤ２２を操作すると、プラテンローラ１２が逆回転して、切断位置まで
送り出されたラベルＬを後退させながらラベルの先端縁を印字ヘッド１１の発熱ラインま
で戻す。続いてプラテンローラ１２が順方向に回転し、ラベルＬを送り出しながら重量、
価格、商品情報等を所定のフォーマットで印字していく。その間、送り出されたラベルＬ
は、一対のガイド板１５、１６の間を通り、さらに固定刃２１と可動刃２２との間を通っ
て上昇していく。そして、印字が終了しても、プラテンローラ１２は、さらにラベルＬの
後端縁が切断位置に到達するまで回転する。これにより、ラベルＬの先端部分は、押さえ
部材３１とフリーローラ３２との間に侵入するから、ラベルＬの先端部分は、押さえ部材
３１に押されて計量部Ｗ側に傾く。
【００３６】
プラテンローラ１２による送りが止まると、直ちにカッターユニット２０が作動して可
動刃２２が前後ラベルの境界線上を切断する。すると、ラベルＬの後端部分が可動刃２２
に押され、かつ、ラベルＬの先端部分が計量部Ｗ側に傾いていることから、ラベルの後端
部分は、反対方向へ、すなわち、店員側表示部Ｄ１の方へ移動して止まる。これにより、
切断されたラベルＬの粘着面が後続ラベルの先端部の進行を妨げない位置まで移動する。
こうして、計量された商品の印字ラベルＬが発行されれば、作業者は、仮着部３０で止ま
ったラベルＬを取ってそれを商品に貼り付ける。
以上の各部の動作は、制御部ＣのＣＰＵ４０がＲＯＭ４１から制御プログラムを読み出
して実行することにより実現される。
【００３７】
図５は、定額ラベルをラベルプリンタＰで連続発行させる場合に、制御部Ｃが制御プロ
グラムを実行することによって実現される機能ブロックを示したものである。
【００３８】
この図において、商品指定手段５は、ラベル発行させる商品を指定するもので、例えば
図９の「国産牛モモ薄切り」 「若鶏ムネ肉」等の商品名が表示された区画表示欄で構成さ
れている。そして、何れかの区画表示欄をタッチすれば、タッチされた区画表示欄の商品
が指定される。また、これに代えて、図１の数字キーで商品番号を入力し、続いて呼出キ
ーＤ２１を操作することによっても商品を指定することができる。したがって、商品指定
手段５には、数字キーと呼出キーＤ２１が含まれる。
なお、商品番号は、図６の商品マスタ４３１に登録されており、この番号を入力するこ
とにより、対応する商品情報が商品マスタ４３１から読み出される。
【００３９】
入力手段６は、指定された商品のラベル発行枚数を入力するもので、例えば、図１の数
字キーで構成される。
図９は、店員側表示部Ｄ１に表示された操作画面の一例を示す。この画面を使って設定
枚数のラベルを発行させるには、例えば商品指定手段５としての「神戸牛ヒレステーキ」
をタッチし、続いて、発行枚数として、例えば「１０」を数字キーで入力する。すると、
制御部Ｃは、指定された「神戸牛ヒレステーキ」について「１０」枚の発行枚数を登録す
る。なお、図９において、商品指定手段５は、区画された、商品名が表示された複数の表
示欄で構成されるが、各表示欄に表示された「国産牛モモ薄切り」「若鶏ムネ肉」等の商
品名は「精肉」キー、「鮮魚」キー、「惣菜」キーのタッチによって切り替わる。また、
同一部門内で次の商品群を表示させるときは、右下隅のページ切替キー５１を押せば、同
じ「精肉」部門内の次の商品群が表示される。
なお、「神戸牛ヒレステーキ」をタッチする代わりに、図６の商品マスタ４３１に登録
された対応する商品番号、すなわち、「000001」を入力した後、図１の呼出キーＤ２１を
操作しても同様な画面が表示される。
【００４０】
続いて、図１の印字キーＤ２２が押されると、前述と同様にして、まず先頭のラベルが
印字発行され、続いて、先頭ラベルから切り離された後続ラベルは、プラテンローラ１２
の逆方向の回転により、印字位置まで引き戻された後、再び順方向回転によって送り出さ
れながら印字されていく。そして、先行ラベルと後続ラベルとの境界位置が切断位置に到
達すると、その時点でラベル送りが停止され、続いてカッターユニット２０が作動してラ
ベルが切断される。こうして、各ラベルは、一旦引き戻されては、送り出されて印字され
ていく。なお、ラベルが１枚発行される度に、当初設定された発行枚数「１０」は、カウ
ントダウンされ、その値が発行数表示欄５０に逐次表示される。
【００４１】
一方、切断されたラベルＬは、図３に示す前傾姿勢で仮着部３０に保持されるが、続い
て次の後続ラベルが送り出されるから、後続ラベルの先端が先行ラベルＬの粘着面に触れ
ると、その時点で両ラベルは接合される。そして、さらに続けて後続ラベルが送り出され
ると、それに伴って先行ラベルＬは、仮着部３０を抜けて計量部Ｗ側へ垂れていく。計量
部Ｗ側に垂れると、仮着部３０に保持されたラベルの後端部は、ますます客側表示部Ｄ１
側へ傾斜することになるから、後続ラベルとの接合が確実なものとなる。こうした動作を
繰り返して、一枚ずつに切断されたラベルは、先行ラベルの後端部に次々と重ね貼りにさ
れて、シート状に連なった状態で連続発行される。
勿論、こうした動作は、前述と同様に、制御部ＣのＣＰＵ４０が制御プログラムを読み
出して実行することにより実現される。
【００４２】
一方、最初のラベル発行操作の直後に、あるいは、それに続くラベル発行中に、次の商
品のラベル発行予約を行うことができる。具体的には、前述と同様、商品指定手段５によ
って次の商品を指定し、続いて入力手段６（数字キー）でラベル発行枚数を入力し、さら
に印字キーＤ２２を操作する。例えば図９に示すように、次の商品として「若鶏ムネ肉」
が指定されると、指定商品の区画表示欄がハイライトされる。そして、ラベル発行枚数を
入力手段６で入力し、印字キーＤ２２を操作すると、登録手段７は指定された商品とラベ
ルの発行枚数をＲＡＭ４２に登録し、区画表示欄のハイライトが消えるとともに予約数表
示欄の５２の背景色が変わり、予約数表示欄５２に予約数が表示される（図１０参照）。
図９では、２番目に指定された商品として「若鶏ムネ肉」がハイライトされており、当初
のラベル発行枚数「１０」が「６」枚に減った状態で、「若鶏ムネ肉」が次の商品として
選択された状態を示している。
【００４３】
こうして、ラベル発行中に、次の商品指定と、その発行枚数の入力と、それに続く印字
キーＤ２２の操作を順次繰り返していけば、ラベル発行中であっても、登録手段７は、予
約された順序で指定商品と発行枚数をＲＡＭ４２上に登録していく。
なお、図１０は、最初に設定された「神戸牛ヒレステーキ」のラベル発行が終了し、次の
予約商品である「若鶏ムネ肉」が読み出されてラベル発行が行われている状態を示してい
る。また、そのラベル発行中に、前述の操作で予約登録が次々と行われ、都合５件の予約
登録が行われ、その５件の内、最後に予約登録された商品が「若鶏ササミ」であることを
示している。
【００４４】
以上の操作の後、登録された予約内容を確認するときは、図１０の予約数表示欄５２を
タッチする。すると、図１１に示すような表示欄（表示手段８）が現れて予約一覧が表示
される。これにより、予約した商品の予約一覧を確認することができるから、作業順序と
ラベル発行順序とが一致しているか否かを確認することができる。
なお、予約登録モードに切り替わると、予約一覧を表示する表示手段８が表示されるよう
にしても良い。また、既にラベル発行した処理済み商品一覧と、未処理の商品一覧とを色
分けして表示手段８に表示するようにしても良い。
【００４５】
図５に戻って、変更手段９は、予約された商品のラベル発行順序を変更するもので、例
えば、図１１において、予約一覧中の、次に予定されている「豚バラスライス」をタッチ
し、続いて数字キーで「２」を入力した後、「変更」キー５３をタッチすると、「豚バラ
スライス」が2番目に繰り下がり、２番目の「国産牛モモ薄切り」が１番目に繰り上がる
ように構成されている。また、予約一覧中の予約商品を指定した後、「消去」キー５４を
操作すれば、指定された商品の予約が取り消されるようになっている。これにより、作業
順序とラベル発行順序の不整合が生じても、発行順序を入れ替えたり、予約商品の消去や
新たな商品を予約登録して、それを発行順序の上位に割り込ませたりすることができる。
【００４６】
また、登録手段７には、空白ラベルや目印を印字する報知ラベルが登録されており、予
約枚数のラベル発行が終了し、次の予約商品の印字情報を読み出すときに、その報知ラベ
ルを発行して先行ラベルの後端部に接続し、続いて、次の予約商品の印字情報を読み出し
て、次の商品の印字ラベルを発行するように構成されている。これにより、報知ラベルを
先行グループのラベルと、後続グループのラベルとの間に介在させることができるから、
作業者は、先行グループと後続グループとの境目を識別して、グループ毎に纏めて印字ラ
ベルをラベル発行口から取り去ることができる。
【００４７】
ラベルプリンタＰのラベル発行口には、図１、図２に示すように、印字発行されたラベ
ルを検出する剥離センサＳが設けられている。この剥離センサＳは、ラベル発行口のラベ
ルを検出して、安全手段７１に検出信号を出力する。安全手段７１は、ラベルが発行され
る度に発行枚数をカウントし、そのカウント値が所定枚数に達した後も、印字ラベルがラ
ベル発行口に存在する場合は、登録手段７に次のラベル発行の停止を通知する。同時に、
警告手段７１０を作動させて、ラベル発行の停止を音や光でもって作業者に知らせる。こ
れにより、長く連なった状態で発行されたラベルが計量皿に貼り付いたりする問題を回避
する。
【００４８】
なお、発行されるラベル１枚分の長さは、印字量によって商品毎に異なるから、安全手段
７１は、１枚のラベル長さをプラテンローラ１２を回転させるパルスをカウントすること
によって監視し、そのカウント値が、１枚のラベル長さ相当分になると、１枚のラベル発
行が終了したとして発行枚数をカウントし、その発行枚数が予め設定した値以上になると、
一時的にラベル発行を停止させる。そして、剥離センサＳがラベル発行口のラベルがなく
なったことを検出すると、安全手段７１は、ラベル発行口のラベル枚数をクリアした後、
登録手段７に対しラベル発行の再開を指示する。
勿論、こうした安全手段７１の動作制御は、前述と同様に、制御部ＣのＣＰＵ４０が制
御プログラムを読み出して実行することにより実現される。
【００４９】
以上の実施形態では、ラベルの発行枚数をカウントしたが、これに代えて、プラテンロー
ラ１２を回転させる駆動パルスを、順方向、逆方向の送りを加味しながらカウントするこ
とにより、ラベル発行口に送り出されたラベル長さを算出することもできる。この場合に
おいて、前後のラベルが部分的に重なる領域の送り長さは一定であるから、その重ね代の
長さ分を、発行枚数分のラベル長さから減算することによって求めることができる。
【００５０】
なお、図９〜図１１において、右端の縦の欄に表示された「ハクリ」キー５５を操作す
ると、剥離センサＳの検出機能をＯＮ，ＯＦＦすることができる。また、この剥離センサ
Ｓは、ラベル発行口のラベルを臨む位置に配置されているから、台紙付きラベルを使用す
る場合は、印字発行されたラベルが台紙から剥離された否かを検出するセンサとなる。
【００５１】
ラベルに印字される情報には、商品名や価格等の基本情報の他に、その商品に使われた
原材料、調味料、添加物、栄養成分等の付加情報等がある。これらの情報は、印字データ
量として少なければ、１枚のラベルに印字されるが、多い場合には、基本情報が印字され
た品名ラベルと、付加情報が印字された付属ラベルとに分けて印字されることもある。そ
こで、制御部Ｃには、予約商品の品名等が含まれる品名ラベルと、当該商品の添加物等の
付属ラベルとを分けて発行する２枚発行モードと、分けずに１枚のラベルに合体させて発
行する１枚発行モードとに切り替える切替手段７２が設けられている。この切替手段７２
も制御プログラムを実行することによって実現されるものである。
【００５２】
２枚のラベルに分ける場合は、ラベル貼付の作業量に応じて、品名ラベルと、付属ラベ
ルとを交互に繋げてラベル発行する場合と、最初に品名ラベルを予約枚数分発行し、続い
て、付属ラベルを予約枚数分発行する場合とがある。第２切替手段７３は、同じラベルを
まとめて発行するか、異なるラベルを順番に、すなわち、品名ラベルに続いて付属ラベル
を交互に発行するかを選択させるもので、複数枚発行モードのときに、店員側表示部Ｄ１
に第２切替手段７３が表示され、それを操作することによって、「まとめ発行」するか否
かが選択できるようになっている。
また、２枚のラベルに分ける場合は、それぞれのラベルに住所店名等の共通事項が印字さ
れるので、ラベルフォーマットとしては、品名ラベル用のフォーマットと、付属ラベル用
のフォーマットが用意され、それぞれに住所店名欄が設けられている。そこで、それらの
フォーマットを繋げて１枚のラベルに合体させて発行するときは、品名ラベルの住所店名
欄を削除し、その欄に付属ラベルの先頭印字欄を行詰めするように構成されている。これ
により、発行されるラベル長さを必要最小限の長さに設定することができる。
【００５３】
以上の実施形態は、ラベルを２枚に分ける場合であったが、商品によっては、３枚以上
に分ける場合もある。例えば、その商品の調理方法（レシピ）をラベルに印字し、それも
併せて商品に貼り付ける場合である。それにも対応できるように、切替手段７２は、各商
品の印字データ量に応じて、ラベルの１枚発行や２枚発行、さらには、３枚発行も可能な
ように構成されている。例えば、印字データとして、商品名、価格等の商品情報の他に添
加物やレシピまでも登録されているときは、切替手段７２は、品名ラベルと添加物ラベル
とレシピ用ラベルとに分けて発行する。この場合に、第２切替手段７３で「まとめ発行」
が選択されると、品名ラベルが予約枚数分発行された後に、添加物ラベルが予約枚数分発
行され、続いてレシピ用ラベルが予約枚数分発行されることになる。
【００５４】
以上、本発明の一実施形態を説明したが、本発明は、これに限定されるものではなく、
その他の実施形態も採用可能である。例えば、以上の実施形態では、印字されたラベルを
上方に送り出すようにしたが、下向きに送り出すようにすれば、発行されたラベルＬは、
作業者の居る正面側に垂れ下がっていくので、プリンタ付電子秤１００がテーブル上に設
置される場合は、発行されたラベルが計量部Ｗに触れるのを防止することができる。そう
した構成を採るには、印字ヘッド１１とプラテンローラ１２を、天地を逆にして配置する
とともに、ラベルロールＬＲを逆向きに装着して、印字面が上に、粘着面が下になるよう
に台紙レスラベルを送り出すように構成する。
【００５５】
また、印字内容や使用するラベルの横幅は、商品毎に特定されるから、それらからラベ
ル１枚分の送り長さは事前に把握することができる。そこで、ラベルの送り長さを図６の
商品マスタに商品毎に登録しておき、それに基づいて、ラベル発行口のラベル枚数やラベ
ル長さを算出する。また、ラベル発行口にラベルを何枚連ねて発行すると、或いはどの位
の長さまで連ねると、周囲に貼り付くかを事前に求めておき、その枚数や長さも商品毎に
登録しておく。そうすれば、種々の商品について、次々とラベル発行枚数が予約登録され
ても、商品マスタに登録された１枚分のラベル送り長さと、周囲に貼りつく直前のラベル
枚数やラベル長さに基づいて、ラベル発行口のラベル枚数を規制することができる。
【００５６】
また、読み出される商品の種類が切り替わると、ラベル発行口で許容されるラベル枚数や
長さも異なってくるから、予約登録された商品の種類が切り替わる場合は、既に発行され
たラベルがラベル発行口から取り除かれるまで、次の商品に貼付するラベルの発行を停止
する。これにより、ラベル発行口において、印字内容の異なるラベルの混在を無くすこと
ができるだけでなく、ラベル発行口で留めておくラベル枚数やラベル長さの算出が容易に
なる。
【符号の説明】
【００５７】
Ｐ    ラベルプリンタ    
３    仮着部
５    商品指定手段（指定手段）
６    入力手段
７    登録手段
８    表示手段
９    変更手段
１０    印字部  
２０    カッター
７１    安全手段
７２    切替手段
Ｃ    制御部
Ｓ    剥離センサ（センサ）
Ｌ    ラベル
Ｌ１    先行ラベル
Ｌ２    後続ラベル
【要約】
【課題】予約発行された台紙付きラベルをそのまま放置しても、ラベルは台紙に貼り付い
たままであるから、問題にはならないが、台紙レスラベルでは、複数枚連ねた状態で発行
されたラベルをラベルプリンタから取り去ると、粘着面が剥き出しのままになっているか
ら、発行されたラベルシートの取り扱いを誤ると、ラベル同士が貼り付いたり、周囲に貼
り付いたりする問題がある。また、複数商品のラベル発行予約を行った後に、作業順序が
入れ替わると、予約発行されたラベルシートの取り扱いに困る問題がある。
【解決手段】複数枚連なった状態で発行されたラベルが、所定長さまたは所定枚数発行さ
れたあともラベル発行口にある場合は、次のラベル発行を停止する安全手段を備える。
【選択図】図５【図１】
0005940721.tif 000002
【図２】
0005940721.tif 000003
【図３】
0005940721.tif 000004
【図４】
0005940721.tif 000005
【図５】
0005940721.tif 000006
【図６】
0005940721.tif 000007
【図７】
0005940721.tif 000008
【図８】
0005940721.tif 000009
【図９】
0005940721.tif 000010
【図１０】
0005940721.tif 000011
【図１１】
0005940721.tif 000012